(57)【要約】【課題】出発すべき時間の到来を受動的に知ることができ、また、交通機関に乱れが生じた際にも、交通機関情報および目標到着時間の情報を受動的に知ることが可能となり目的地到着時間の遅延を防ぐ交通情報通知システムを提供することを目的とする。【解決手段】利用者により予め登録された、利用する交通機関、出発地、目的地、目的地到着時間、交通機関の情報等とデジタルテレビジョン受信機にて受信、処理された情報を照らし合わせ、利用者が出発すべき時間になると音声にて利用者に通知する。また、事故などによる交通機関の乱れが発生した場合もデジタルテレビジョン受信機にて処理された交通情報と予め登録された目的地到着時間の情報より出発時間を逆算し、出発時間になると音声にて利用者に通知する。【選択図】  図１
2004322774.tif 000002
【特許請求の範囲】
【請求項１】
数種の交通機関より送られてくる情報を統合しデジタルテレビジョン放送として送信する放送送信装置と、前記放送送信装置の出力を受信し交通機関の情報を蓄積・処理しうるデジタルテレビジョン受信機とを有する交通情報通知システム。
【発明の詳細な説明】
【０００１】
【発明の属する技術分野】
本発明は、デジタルテレビのデータ放送において任意の交通情報を受動的に取得できるシステムである。
【０００２】
【従来の技術】
従来、利用者が任意の交通情報を取得する手段としては、例えば特許文献１のようなものがあった。これは、固定の時間帯に放送局より流れてくる情報をリアルタイムに視聴することにより目的の情報を取得する手段である。また、別の手段としてはインターネット等を利用した能動的な情報取得などがある。
【０００３】
【特許文献１】
登録実用新案第３０８０８８１号公報
【０００４】
【発明が解決しようとする課題】
しかしながら、従来のシステムにおいては、利用者が出発時間などの交通情報を取得するために、固定の時間帯に流れる放送を出発の度毎にわざわざ視聴するのは煩雑であるという問題点を有していた。
【０００５】
また、インターネット等による事前に調査することは煩雑であり、また事前調査の情報に基づく行動では、事故の発生などによる交通機関の乱れにより目的地到着時間に遅れてしまう場合があるという問題点を有していた。
【０００６】
本発明は上記従来の問題点を解決するもので、出発すべき時間の到来を受動的に知ることができ、また、交通機関に乱れが生じた際にも、交通機関情報および目標到着時間の情報を受動的に知ることが可能となり目的地到着時間の遅延を防ぐ交通情報通知システムを提供することを目的とする。
【０００７】
【課題を解決するための手段】
利用者により予め登録された利用する交通機関、出発地、目的地、目的地到着時間、交通機関の情報等とデジタルテレビジョン受信機にて受信、処理された情報を照らし合わせ、利用者が出発すべき時間になると音声にて利用者に通知する。
【０００８】
また、事故などによる交通機関の乱れが発生した場合もデジタルテレビジョン受信機にて処理された交通情報と予め登録された目的地到着時間の情報より出発時間を逆算し、出発時間になると音声にて利用者に通知する。
【０００９】
【発明の実施の形態】
本発明の請求項１に記載の発明は、数種の交通機関より送られてくる情報を統合しデジタルテレビジョン放送として送信する放送送信装置と、前記放送送信装置の出力を受信し交通機関の情報を蓄積・処理しうるデジタルテレビジョン受信機とを有する交通情報通知システムであり、デジタルテレビのデータ放送において、交通情報についてのデータをデジタルテレビジョン受像機にて受信、蓄積、処理することで、利用者はテレビジョン受信機への能動的な操作を行うこと無しに任意の交通情報を得ることができるものである。
【００１０】
以下、本発明の実施の形態について、図１乃至図２を用いて説明する。
【００１１】
（実施の形態１）
図１は本発明の実施の形態１における交通情報通知システムの通用状態における利用実施の構成を示すブロック図である。
【００１２】
図１において、１は交通情報の提供を行う鉄道会社等の交通機関であり、２は提供された情報を統合しデジタルテレビジョン放送の形態にて情報を送信する放送局ある。また、デジタルテレビジョン信号受信機の内部は、３の送られてきた交通機関情報を蓄積するための交通機関データ用メモリ領域、４に示されるデジタルテレビジョン信号受信機の所有者により入力される所望の利用交通機関情報および所在地等の情報を蓄積するための登録データ用メモリ領域、５に示される前述の交通機関データ用メモリ領域と登録データ用メモリ領域内部に蓄えられた情報を元にサービス利用者が所望する情報を算出するためのＣＰＵ、６に示されるＣＰＵにより算出された情報を蓄える出発時間用メモリ領域、７に示される出発時間用メモリ領域似て蓄えられた情報を元に割り込み処理を制御するタイマー割り込み制御部、８に示されるタイマー割り込み制御部からの信号を元に本サービス利用者に所望の情報を知らせる音声ブロックにより構成される。
【００１３】
まず、任意の交通機関１が本発明を用いたサービスのデータベースとなる情報を放送局２に送り、放送局２は送られてきた情報を統合しデジタルテレビジョン放送の形態にて各デジタルテレビジョン受信機に伝送する。利用者は情報本発明の関するサービスを利用するために、デジタルＴＶ受信機のＭＥＮＵ画面にて（利用日、利用する便名、最寄駅、最寄駅までの所要時間、目的地、目的地到着時間）等の必要情報を前もって入力しておく。登録データ用メモリ領域４は入力された前述の情報を蓄えておく。
【００１４】
デジタルテレビジョン受信機は、デジタル放送にて送信される交通機関情報を自動的にダウンロードし、必要な情報をセット内の交通機関データ用メモリ領域３に蓄積する。この蓄積されたデータと利用者により登録されたデータより出発時刻をＣＰＵ５にて算出し出発時間用メモリ領域６に保存する。出発時間用メモリ領域６内に蓄積された情報を元に出発時間になるとタイマ−割り込み制御部７からの制御信号により音声ブロックはビープ音等の音声信号を一定間隔発生させる。
【００１５】
利用者は、この音声を聞くことにて出発時刻の到来を認知し出発する。
【００１６】
（実施の形態２）
図２は本発明の実施の形態１における交通情報通知システムの交通機関に乱れが生じた際の利用実施の構成を示すブロック図である。
【００１７】
まず、任意の交通機関１が本発明を用いたサービスのデータベースとなる情報を放送局２に送り、放送局２は送られてきた情報を統合しデジタルテレビジョン放送の形態にて各デジタルテレビジョン受信機に伝送する。利用者は情報本発明の関するサービスを利用するために、デジタルＴＶ受信機のＭＥＮＵ画面にて（利用日、利用する便名、最寄駅、最寄駅までの所要時間、目的地、目的地到着時間）等の必要情報を前もって入力しておく。登録データ用メモリ領域４は入力された前述の情報を蓄えておく。
【００１８】
デジタルテレビジョン受信機は、デジタル放送にて送信される交通機関情報を自動的にダウンロードし、必要な情報をセット内の交通機関データ用メモリ領域３に蓄積する。この蓄積されたデータと利用者により登録されたデータより出発時刻をＣＰＵ５にて算出し出発時間用メモリ領域６に保存する。任意の交通機関１は交通スケジュールの遅延等が生じた場合、その情報を放送局２に逐次伝送する。放送局２は、任意の交通機関１からの交通遅延の情報が送られてきた場合、直ちにデジタルテレビ放送にて各テレビジョン受信機に伝送する。テレビジョン受信機はデジタルテレビ放送より送られてくる交通機関の乱れの情報において、利用者登録データと関連のある情報が存在した場合、交通機関データ用メモリ領域３にデータを蓄積し、即座に登録データ用メモリ領域４内の利用者情報と交通機関データ用メモリ領域３内に新たに蓄積された情報を元に出発時間をＣＰＵ５にて再計算し出発時間用メモリ領域６に更新データを上書き保存する。再計算され、所定のメモリ領域内に蓄積された出発時間になるとタイマ−割り込み制御部７からの制御信号により音声ブロックはビープ音等の音声信号により利用者に情報を提供する。利用者は、この音声を聞くことにて出発時刻の到来を認知し交通機関に障害が生じた際にも目的地到着時間に遅れないように出発ことができる。
【００１９】
【発明の効果】
この発明により利用者は簡単な目的情報の登録を行うだけで出発すべき時間の到来を音声にて受動的に知ることができ、また、交通機関に乱れが生じた際にも、交通機関情報および目標到着時間の情報を元に再計算された出発時間の到来を音声により受動的に知ることが可能となり目的地到着時間の遅延を防ぐという優れた効果が得られる。
【図面の簡単な説明】
【図１】本発明の実施の形態１における交通情報通知システムの通常使用時システムフロー図
【図２】本発明の実施の形態１における交通情報通知システムの交通機関に乱れが発生した際のシステムフロー図
【符号の説明】
１  交通機関Ａ
２  放送局
３  交通機関データ用メモリ領域
４  登録データ用メモリ領域
５  ＣＰＵ
６  出発時間用メモリ領域
７  タイマー割り込み制御部
８  音声ブロック
【図１】
2004322774.tif 000003
【図２】
2004322774.tif 000004